(57)【特許請求の範囲】
【請求項１】
原稿が接触するガラスと、
前記ガラスのガラス面に接触した原稿の画像を読み取る読み取りユニットと、
前記ガラスを保持する第１の筐体と、
前記第１の筐体とともに前記読み取りユニットを収容する第２の筐体と、
前記第１の筐体と前記第２の筐体との前記ガラス面に直交する方向の相対的な位置を調整する位置調整部材と、
を含み、
前記読み取りユニットは、副走査方向への移動をガイドする走査ガイドを有し、
前記第２の筐体は、前記ガラス面に直交する方向の大きさが異なる複数の読み取りユニットが有する前記走査ガイドを保持可能とするために当該ガラス面に直交する方向の位置が異なる複数のガイド保持部を有することを特徴とする画像読み取り装置。
【請求項２】
前記第１の筐体および前記第２の筐体は、一方の筐体に形成された孔を通るネジと他方の筐体に形成されたネジ溝により締め付けられるものであり、
前記位置調整部材は、前記ネジが通るネジ通過孔を有し、前記第１の筐体および前記第２の筐体が当該ネジにて締め付けられるときに前記ネジ通過孔に当該ネジを通した状態で両筐体に挟持され締め付けられることを特徴とする請求項１記載の画像読み取り装置。
【請求項３】
前記第１の筐体および前記第２の筐体は、当該第１の筐体に設けられた当該第２の筐体方向に伸びる第１の凸部および当該第２の筐体に設けられた当該第１の筐体方向に伸びる第２の凸部の一方の凸部に形成された孔を通るネジと他方の凸部に形成されたネジ溝により締め付けられるものであり、
前記位置調整部材は、前記第１の凸部および前記第２の凸部に嵌合された状態で両筐体に挟持されることを特徴とする請求項１記載の画像読み取り装置。
【請求項４】
原稿を載せるプラテンガラスと、
副走査方向に移動しながら前記プラテンガラスのプラテンガラス面に載せられた原稿の画像を読み取る読み取りユニットと、
前記プラテンガラスを有する第１の筐体と、
前記第１の筐体とともに装置の外観を構成し前記読み取りユニットを収容する第２の筐体と、
前記第１の筐体と前記第２の筐体との相対距離を変えて前記プラテンガラス面と前記読み取りユニットとの位置を調整する位置調整部材と、
を含み、
前記読み取りユニットは、副走査方向への移動をガイドする走査ガイドを有し、
前記第２の筐体は、前記プラテンガラス面に直交する方向の大きさが異なる複数の読み取りユニットが有する前記走査ガイドを保持可能とするために当該プラテンガラス面に直交する方向の位置が異なる複数のガイド保持部を有することを特徴とする画像読み取り装置。
【発明の詳細な説明】
【技術分野】
【０００１】
本発明は、原稿の画像を読み取る画像読み取り装置に関する。
【背景技術】
【０００２】
原稿を載置するためのプラテンと、このプラテン上に載置された原稿の画像の読み取りを行なう読み取りユニットと、この読み取りユニットを収容しプラテンを支持する箱状のフレームとを有し、フレームが、上フレームと下フレームとの上下二つに分割された画像読み取り装置が提案されている（例えば、特許文献１参照）。
【０００３】
【特許文献１】特開２００６−１８４８２３号公報
【発明の開示】
【発明が解決しようとする課題】
【０００４】
ところで、原稿の画像の読み取りを行なう読み取りユニットは、ＣＩＳユニットや縮小光学ユニットがあり、また、縮小光学ユニットには、光源として冷陰極管ランプやキセノンランプを用いるもの等がある。このように、読み取りユニットは多種多様であり、その採用技術によりその構成が異なり、読み取りユニット自体の大きさが異なる。そして、採用する読み取りユニットの大きさに応じて、それを適切に収容する筐体の大きさも異なることから、読み取りユニットの種類の多さに応じて筐体の種類も増えることとなる。
【０００５】
本発明は、採用する読み取りユニットが異なる画像読み取り装置間で筐体を共有化させる技術を提供することを課題とする。
【課題を解決するための手段】
【０００６】
請求項１に記載の発明は、原稿が接触するガラスと、前記ガラスのガラス面に接触した原稿の画像を読み取る読み取りユニットと、前記ガラスを保持する第１の筐体と、前記第１の筐体とともに前記読み取りユニットを収容する第２の筐体と、前記第１の筐体と前記第２の筐体との前記ガラス面に直交する方向の相対的な位置を調整する位置調整部材と、を含み、前記読み取りユニットは、副走査方向への移動をガイドする走査ガイドを有し、前記第２の筐体は、前記ガラス面に直交する方向の大きさが異なる複数の読み取りユニットが有する前記走査ガイドを保持可能とするために当該ガラス面に直交する方向の位置が異なる複数のガイド保持部を有することを特徴とする画像読み取り装置である。
【０００８】
請求項２に記載の発明は、前記第１の筐体および前記第２の筐体は、一方の筐体に形成された孔を通るネジと他方の筐体に形成されたネジ溝により締め付けられるものであり、前記位置調整部材は、前記ネジが通るネジ通過孔を有し、前記第１の筐体および前記第２の筐体が当該ネジにて締め付けられるときに前記ネジ通過孔に当該ネジを通した状態で両筐体に挟持され締め付けられることを特徴とする請求項１記載の画像読み取り装置である。
請求項３に記載の発明は、前記第１の筐体および前記第２の筐体は、当該第１の筐体に設けられた当該第２の筐体方向に伸びる第１の凸部および当該第２の筐体に設けられた当該第１の筐体方向に伸びる第２の凸部の一方の凸部に形成された孔を通るネジと他方の凸部に形成されたネジ溝により締め付けられるものであり、前記位置調整部材は、前記第１の凸部および前記第２の凸部に嵌合された状態で両筐体に挟持されることを特徴とする請求項１記載の画像読み取り装置である。
【０００９】
請求項４に記載の発明は、原稿を載せるプラテンガラスと、副走査方向に移動しながら前記プラテンガラスのプラテンガラス面に載せられた原稿の画像を読み取る読み取りユニットと、前記プラテンガラスを有する第１の筐体と、前記第１の筐体とともに装置の外観を構成し前記読み取りユニットを収容する第２の筐体と、前記第１の筐体と前記第２の筐体との相対距離を変えて前記プラテンガラス面と前記読み取りユニットとの位置を調整する位置調整部材と、を含み、前記読み取りユニットは、副走査方向への移動をガイドする走査ガイドを有し、前記第２の筐体は、前記プラテンガラス面に直交する方向の大きさが異なる複数の読み取りユニットが有する前記走査ガイドを保持可能とするために当該プラテンガラス面に直交する方向の位置が異なる複数のガイド保持部を有することを特徴とする画像読み取り装置である。
【発明の効果】
【００１１】
本発明の請求項１によれば、採用する読み取りユニットが異なる画像読み取り装置間で筐体を共有化させることができる。
本発明の請求項２によれば、位置調整部材をより確実に固定させることができるため、より確実に採用する読み取りユニットが異なる装置間で筐体を共有化させることができる。
本発明の請求項３によれば、両筐体の位置決め精度をも高めることができる。
【００１２】
本発明の請求項４によれば、第１の筐体と第２の筐体が装置の外観を構成し、読み取りユニットが副走査方向に移動しながらプラテンガラス面に載せられた原稿の画像を読み取る画像読み取り装置間で、採用する読み取りユニットが異なるとしても筐体を共有化させることができる。
【発明を実施するための最良の形態】
【００１３】
以下、添付図面を参照して、本発明を実施するための最良の形態について詳細に説明する。
＜第１の実施形態＞
図１は、第１の実施形態に係る画像読み取り装置１の全体構成を示す図である。
図１に示す画像読み取り装置１は、原稿を走査（スキャン）することによって画像を読み込むスキャナ装置１０と、積載された原稿束から原稿を順次搬送する原稿送り装置２０とを備えている。
【００１４】
原稿送り装置２０は、複数枚の原稿からなる原稿束を積載する原稿トレイ２１、この原稿トレイ２１の下方に設けられ、読み取りが終了した原稿を積載する排紙トレイ２２を備える。また、原稿送り装置２０は、原稿トレイ２１の原稿を取り出して搬送するナジャーロール２３と、用紙を一枚ずつに捌く捌き機構２４が設けられている。また、原稿が搬送される搬送路２５には、一枚ずつに捌かれた原稿を下流側のロールに向けて搬送するプレレジロール２６と、スキャナ装置１０に対してレジストレーション調整を施しながら原稿を供給するレジロール２７とを備える。また、スキャナ装置１０にて読み込み中の原稿搬送を助けるプラテンロール２８と、スキャナ装置１０にて読み込まれた原稿をさらに下流に搬送するアウトロール２９を備える。更に、読み込まれた原稿を排紙トレイ２２に排出する排出ロール３０を備えている。
【００１５】
スキャナ装置１０は、原稿が接触するガラス１１と、このガラス１１のガラス面に接触した原稿の画像を読み取る読み取りユニット１２と、この読み取りユニット１２を収容する筐体１３とを有している。
ガラス１１は、画像を読み込むべき原稿を静止させた状態で載せるプラテンガラス１１Ａ、原稿送り装置２０によって搬送される原稿を読み取るための光を透過させる窓ガラス１１Ｂを備えている。
【００１６】
読み取りユニット１２は、原稿に光を照射するための照明ランプ１２１と、原稿から得られた反射光を受光する第１ミラー１２２Ａ、第１ミラー１２２Ａから得られた光を結像部へ提供する第２ミラー１２２Ｂおよび第３ミラー１２２Ｃなどの複数のミラーと、第３ミラー１２２Ｃから得られた光学像を光学的に縮小する結像用レンズ１２３と、結像用レンズ１２３によって結像された光学像を光電変換するＣＣＤイメージセンサ１２４を備えている。このように、図１に示すスキャナ装置１０では、所謂縮小光学系を用いてＣＣＤイメージセンサ１２４に像を結像させている。なお、この読み取りユニット１２には、図中矢印Ｘで示す副走査方向に延びるガイドシャフト１２５が、この読み取りユニット１２に設けられた軸受部に嵌合されている。
【００１７】
筐体１３は、プラテンガラス１１Ａおよび窓ガラス１１Ｂを保持する第１の筐体１３Ａと、第１の筐体１３Ａとともに読み取りユニット１２を収容する第２の筐体１３Ｂと、を有する。そして、第１の筐体１３Ａと第２の筐体１３Ｂは、画像読み取り装置１の外観を構成している。
第２の筐体１３Ｂには、ガイドシャフト１２５の両端をそれぞれ保持する軸受部１４が設けられている。また、スキャナ装置１０には、読み取りユニット１２の底部に取り付けられた摺動部材１２６と当接して読み取りユニット１２を支持するとともに、副走査方向にガイドするガイドレール１５が備えられており、第２の筐体１３Ｂには、ガイドレール１５を保持するレール受部１６が設けられている。なお、第１の実施形態に係る画像読み取り装置１においては、ガイドシャフト１２５およびガイドレール１５が、読み取りユニット１２の副走査方向への移動をガイドする走査ガイドを構成している。
【００１８】
そして、このように構成された画像読み取り装置１においては、プラテンガラス１１Ａに載せられプラテンガラス面に接触した原稿の画像を読み取る場合には、読み取りユニット１２が、ガイドシャフト１２５およびガイドレール１５によりガイドされ図中矢印Ｘ方向に示す副走査方向に移動する。このとき、照明ランプ１２１の光が原稿の被読み取り面に照射され、原稿からの反射光が第１ミラー１２２Ａ、第２ミラー１２２Ｂ、および第３ミラー１２２Ｃの順に反射されて結像用レンズ１２３に導かれる。結像用レンズ１２３に導かれた光は、ＣＣＤイメージセンサ１２４の受光面に結像される。ＣＣＤイメージセンサ１２４は１次元のセンサであり、１ライン分を同時に処理している。そして、このライン方向(スキャンの副走査方向)に読み取りユニット１２を移動させ、原稿の次のラインを読み取る。これを原稿全体に亘って実行することで、１枚の原稿読み取りを完了させる。
【００１９】
一方、原稿送り装置２０によって搬送される原稿は、窓ガラス１１Ｂの上を通過する。このとき、読み取りユニット１２は、照明ランプ１２１の光が窓ガラス１１Ｂを透過して窓ガラス１１Ｂに接触した原稿の被読み取り面に照射される位置に停止した状態におかれる。そして、原稿送り装置２０のプラテンロール２８を経た原稿の１ライン目の反射光が、第１ミラー１２２Ａ、第２ミラー１２２Ｂ、および第３ミラー１２２Ｃを経て結像用レンズ１２３にて結像され、ＣＣＤイメージセンサ１２４によって画像が読み込まれる。すなわち、１次元のセンサであるＣＣＤイメージセンサ１２４によって主走査方向の１ライン分を同時に処理した後、原稿送り装置２０によって搬送される原稿の次の主走査方向の１ラインが読み込まれる。原稿の先端が窓ガラス１１Ｂの読み取り位置に到達した後、この原稿の後端が窓ガラス１１Ｂの読み取り位置を通過することによって、副走査方向に亘って１枚の原稿読み取りが完了する。
【００２０】
次に、第１の実施形態に係る画像読み取り装置１の具体的構造について説明する。
図２は、第１の実施形態に係る画像読み取り装置１の取り付け態様を示す図である。また、図３は、図２のＡ−Ａ断面を示している。なお、図３において、原稿送り装置２０は省略している。
図２、図３に示すように、第１の実施形態に係るスキャナ装置１０においては、第１の筐体１３Ａには、図中矢印Ｚ方向の第２の筐体１３Ｂ方向に伸びる第１のボス（第１の凸部）１３２Ａが複数（図２に示す例では４つ）設けられ、第２の筐体１３Ｂには、図中矢印Ｚ方向の第１の筐体１３Ａ方向に伸びる第２のボス（第２の凸部）１３２Ｂが複数（図２に示す例では４つ）設けられている。そして、第１のボス１３２Ａには、ネジ１７を通すための孔１４０が設けられており、第２のボス１３２Ｂには、ネジ溝１４１が設けられており、第１の筐体１３Ａと第２の筐体１３Ｂはネジ１７にて締め付けられる。
【００２１】
図２に示すように原稿送り装置２０には、図中矢印Ｘで示す副走査方向に沿って所定長さの間隔をおいて２つの支持部材３１が設けられており、各支持部材３１はそれぞれ軸部材３２を備えている。そして、第１の筐体１３Ａおよび第２の筐体１３Ｂには、支持部材３１を支持するための支持部が形成されている。より具体的には、第１の筐体１３Ａの図中矢印Ｙで示す主走査方向における一方端側（図中奥側）には、軸部材３２がそれぞれ挿入される挿入部１３１Ａが形成されている。挿入部１３１Ａは、断面形状が長方形をした筒状のもので、第１の筐体１３Ａと一体形成されており、その上面および下面は開口している。
第２の筐体１３Ｂには、挿入部１３１Ａが挿入支持される受け部１３１Ｂが第２の筐体１３Ｂと一体で形成されている。この受け部１３１Ｂも、上面が開口となった断面形状長方形の筒状のものである。
【００２２】
そして、第１の筐体１３Ａと第２の筐体１３Ｂをネジ１７にて締め付けると、図３に示すように挿入部１３１Ａはそれぞれ受け部１３１Ｂに嵌合されるようになっている。そして、軸部材３２を挿入部１３１Ａに挿入することで、原稿送り装置２０が第１の筐体１３Ａと第２の筐体１３Ｂに支持されることとなる。このように原稿送り装置２０は、直接的には第１の筐体１３Ａに支持されるが、挿入部１３１Ａが第２の筐体１３Ｂの受け部１３１Ｂに嵌合され支持されることで、第２の筐体１３Ｂにも原稿送り装置２０の荷重がかかる。すなわち、第１の筐体１３Ａの挿入部１３１Ａと、第２の筐体１３Ｂの受け部１３１Ｂで、原稿送り装置２０を支持する支持部を構成している。
【００２３】
スキャナ装置１０は、第１の筐体１３Ａと第２の筐体１３Ｂに挟持され、両筐体１３Ａ，１３Ｂのガラス面に直交する方向（図中矢印Ｚ方向）の相対的な位置を調整する位置調整部材を備えている。そして、この位置調整部材は、第１の筐体１３Ａと第２の筐体１３Ｂの相対距離を変えてガラス面と読み取りユニット１２との位置を調整する。第１の実施形態では、図２、図３に示すボススペーサ５１が位置調整部材として機能している。このボススペーサ５１は、ネジ１７が通る孔５１１を有した円筒形状のものであり、第１の筐体１３Ａおよび第２の筐体１３Ｂがネジ１７にて締め付けられるときにネジ通過孔である孔５１１にネジ１７を通した状態で両筐体に挟持され締め付けられる。
【００２４】
なお、図３には、第１の筐体の外枠１３３Ａと第２の筐体の外枠１３３Ｂの断面も示している。この図３に示すように、第１の筐体の外枠１３３Ａと第２の筐体の外枠１３３Ｂは、第２の筐体の外枠１３３Ｂの外側が第１の筐体の外枠１３３Ａの内側に接するように嵌合されている。これにより、両筐体の外から内に埃などが入り込み難くしている。
【００２５】
ところで、原稿の画像の読み取りを行なう読み取りユニット１２は、上述した縮小光学系を用いた縮小光学ユニットの他に密着光学系にて画像の取り込みを行うＣＩＳユニットがある。図４（ａ）は、このＣＩＳユニットの概略構成を示す図である。このＣＩＳユニット２００は、ハウジング２０１、ガラス２０２、ＬＥＤアレイ２０３、ロッドレンズアレイ２０４、およびラインセンサ２０５を備えている。これらのうち、ガラス２０２は、ハウジング２０１の原稿搬送路側に形成された開口に装着される。また、ＬＥＤアレイ２０３は、ガラス２０２を介して原稿に光を照射する。ロッドレンズアレイ２０４は、ＬＥＤアレイ２０３からの照射光の反射光を集光する。ラインセンサ２０５は、ロッドレンズアレイ２０４により集光された光を読み取る。そして、ラインセンサ２０５としては、ＣＣＤやＣＭＯＳセンサ、密着型センサ等を用いることができ、実寸幅(例えばＡ４長手幅２９７ｍｍ)の画像を読み取ることが可能である。このように、ＣＩＳユニット２００では、ロッドレンズアレイ２０４およびラインセンサ２０５を用いた密着光学系にて画像の取り込みを行う。したがって、構造をシンプルにすることができ、ユニットを小型化することができる。
【００２６】
また、縮小光学ユニットには、照明ランプとして冷陰極管ランプやキセノンランプを用いるものがある。図４（ｂ）は、照明ランプとして冷陰極管ランプを用いた縮小光学ユニットの概略構成を示す図であり、図４（ｃ）は、照明ランプとしてキセノンランプを用いた縮小光学ユニットの概略構成を示す図である。なお、上述した読み取りユニット１２と同様の機能については同様の符号を用い、ここではその詳細な説明を省略する。図４（ｂ），（ｃ）に示すように、冷陰極管ランプのランプ径の方がキセノンランプのランプ径よりも小さいため、照明ランプ１２１として冷陰極管ランプを用いた読み取りユニットの方がキセノンランプを用いた読み取りユニットよりも小さくなる。
【００２７】
このように、読み取りユニット１２は多種多様であり、その採用技術によりその構成が異なり、読み取りユニット１２自体の大きさが異なる。そして、採用する読み取りユニットの大きさに応じて、それを適切に収容する筐体の大きさも異なる。
【００２８】
これに対して、第１の実施形態に係る画像読み取り装置１においては、位置調整部材としてのボススペーサ５１の大きさを変更することにより、第１の筐体１３Ａと第２の筐体１３Ｂのガラス面に直交する方向（図中矢印Ｚ方向）の相対的な位置を調整することができる。これにより、以下に述べるように、採用する読み取りユニットが異なる画像読み取り装置間で筐体１３の共有化を実現できる。
【００２９】
図５は、図２，３に示すボススペーサ５１よりも図中矢印Ｚ方向の大きさである高さを低くしたボススペーサ５１を用いた場合のＡ−Ａ断面を示す図である。ボススペーサ５１の図中矢印Ｚ方向の大きさである高さを低くすることで、第１の筐体１３Ａと第２の筐体１３Ｂのガラス面に直交する方向（図中矢印Ｚ方向）の相対的な距離を小さくすることができる。このように、読み取りユニット１２として高さが低いＣＩＳユニットを用いる場合などには、位置調整部材として高さが低いボススペーサ５１を用いるだけで筐体１３の高さを低くすることができる。
【００３０】
図６は、図２，３に示すボススペーサ５１よりも図中矢印Ｚ方向の大きさである高さを大きくしたボススペーサ５１を用いた場合のＡ−Ａ断面を示す図である。ボススペーサ５１の高さを高くすることで、第１の筐体１３Ａと第２の筐体１３Ｂの図中矢印Ｚ方向の相対的な距離を大きくすることができる。このように、読み取りユニット１２として高さが高いキセノンランプを用いた縮小光学系のユニットを用いる場合などには、位置調整部材として高さが高いボススペーサ５１を用いるだけで筐体１３の高さを高くすることができる。
【００３１】
このように、採用する読み取りユニットの高さに応じてボススペーサ５１の高さを変更し、第１の筐体１３Ａと第２の筐体１３Ｂの図中矢印Ｚ方向の相対的な距離を変えることにより、第１の筐体１３Ａと第２の筐体１３Ｂの形状を変更することなく筐体１３の高さを変更することができる。これにより、採用する読み取りユニットが異なる画像読み取り装置間で第１の筐体１３Ａと第２の筐体１３Ｂの共有化を実現できる。
また、このように、ボススペーサ５１の高さを変更して第１の筐体１３Ａと第２の筐体１３Ｂの図中矢印Ｚ方向の相対的な距離を変えることにより、同時にガラス面と読み取りユニット１２との位置を調整することができるので、読み取りユニット１２の高さに適した筐体１３の高さとすることができる。これにより、装置全体の重量バランスの適正化を図ることができるので、重量アンバランスに起因して生じる画質劣化を防止することができる。
【００３２】
図７は、第１の実施形態に係る第２の筐体１３Ｂの他の実施例を示す図である。第２の筐体１３Ｂには、読み取りユニット１２に嵌合されたガイドシャフト１２５を保持する軸受部１４と、ガイドレール１５を保持するレール受部１６の複数のガイド保持部が設けられている。そして、図７に示すように、これらガイド保持部１４，１６は、図中矢印Ｚ方向の位置が異なる複数の受部が形成されていることが好適である。これにより、読み取りユニット１２に嵌合されるガイドシャフト１２５や摺動部材１２６の位置が読み取りユニット１２毎に異なっているとしても、より幅広く読み取りユニット１２を適正な位置に保持することが可能になる。
【００３３】
また、図３、図５、図６に示すように、第１の筐体の外枠１３３Ａと第２の筐体の外枠１３３Ｂは、読み取りユニットの種類に応じて位置調整部材としてのボススペーサ５１の高さを変更した場合でも、嵌合状態が保たれるように、つまり、第１の筐体１３Ａと第２の筐体１３Ｂ間に図中矢印Ｚ方向の隙間が生じないように形成されている。これにより、第１の筐体１３Ａと第２の筐体１３Ｂの図中矢印Ｚ方向の相対的な位置が変更させられたとしても、筐体１３の外から内に埃などが入り込み難くなる。
【００３４】
同様に、図３、図５、図６に示すように、第１の筐体１３Ａの挿入部１３１Ａと第２の筐体１３Ｂの受け部１３１Ｂは、読み取りユニットの種類に応じて位置調整部材としてのボススペーサ５１の高さを変更した場合でも、嵌合状態が保たれるように、つまり、第１の筐体１３Ａと第２の筐体１３Ｂ間に図中矢印Ｚ方向の隙間が生じないように形成されている。これにより、第１の筐体１３Ａと第２の筐体１３Ｂの図中矢印Ｚ方向の相対的な位置が変更させられたとしても、原稿送り装置２０を支持する剛性を十分に確保することができる。また、筐体１３の外から内に埃などが入り込み難くなる。
【００３５】
なお、上述した例では、位置調整部材としてのボススペーサ５１は、ネジ１７が通る孔５１１を有し、第１のボス１３２Ａおよび第２のボス１３２Ｂの先端に接する面が平面である円筒形状のものを例示したが、第１のボス１３２Ａと第２のボス１３２Ｂとの間で挟持される形状のものであれば特に限定されるものではない。
【００３６】
なお、第１の実施形態に係る画像読み取り装置１のように、ネジ１７が通る孔５１１を有し、２つの筐体１３Ａ，１３Ｂをネジ１７にて締め付ける際にネジ１７を孔５１１に通して締め付けることが好適であり、これにより、ボススペーサ５１を確実に固定させることができる。さらに、図８に示すように、円筒形状の両端面に凹部１４２Ａ，１４２Ｂを形成し、第１のボス１３２Ａと凹部１４２Ａを嵌合させ、第２のボス１３２Ｂと凹部１４２Ｂを嵌合させた状態で両ボス１３２Ａ，１３２Ｂ間に挟持させることが好適である。これにより、両筐体１３Ａ，１３Ｂの位置決めをより精度よく行うことができる。
【００３７】
なお、第１の実施形態では、読み取りユニット１２として、光源、ミラー、レンズおよび読み取りセンサを収容する一体のユニットを採用するスキャナ装置１０に適用した場合について例示したが、フルレートキャリッジとハーフレートキャリッジとを用いて副走査を行なう、いわゆるミラー移動タイプのユニットを採用するスキャナ装置１０にも適用でき、かかる場合においても、同様の効果を得ることができる。
また、積載された原稿束から原稿を順次搬送する原稿送り装置２０を備えた画像読み取り装置１に適用した場合について例示したが、原稿送り装置２０の代わりに、プラテンガラス１１Ａに載せられた原稿を押さえるための原稿押圧板を備えた画像読み取り装置にも適用でき、かかる場合においても、同様の効果を得ることができる。
＜第２の実施形態＞
【００３８】
図９は、第２の実施形態に係る画像読み取り装置の取り付け状態を示す図である。また図１０は、図９のＢ−Ｂ断面を示す図である。なお、図１０において、原稿送り装置２０は省略している。この第２の実施形態では、第１の筐体１３Ａおよび第２の筐体１３Ｂとともに、位置調整部材が画像読み取り装置の外観の一部を構成している点に特徴がある。なお、実施の形態１と同様の機能については同様の符号を用い、ここではその詳細な説明を省略する。
【００３９】
第２の実施形態に係る位置調整部材は、図９，図１０に示した、第１の筐体１３Ａの外枠１３３Ａと第２の筐体１３Ｂの外枠１３３Ｂとの間に挟持される外枠スペーサ６１である。そして、この外枠スペーサ６１は、第１の筐体１３Ａおよび第２の筐体１３Ｂとともに画像読み取り装置の外観を構成する。
【００４０】
また、外枠スペーサ６１に、ガイドシャフト１２５を保持する軸受部１４と、ガイドレール１５を保持するレール受部１６が設けられている。また、第１の筐体１３Ａの挿入部１３１Ａが挿入支持される受け部６１１が設けられている。この受け部６１１は、図１０に示すように、第２の筐体１３Ｂに設けられた受け部１３１Ｂの上側に位置し、挿入部１３１Ａを支持する。すなわち、第１の筐体１３Ａの挿入部１３１Ａと、挿入部１３１Ａを支持する受け部６１１で、原稿送り装置２０を支持する支持部を構成する。
【００４１】
そして、このように構成された画像読み取り装置においては、位置調整部材としての外枠スペーサ６１の図中矢印Ｚ方向の大きさである高さを変更することにより、第１の筐体１３Ａと第２の筐体１３Ｂのガラス面に直交する方向（図中矢印Ｚ方向）の相対的な位置を調整することができる。これにより、第１の実施形態に係る画像読み取り装置１と同様に、採用する読み取りユニットが異なる画像読み取り装置間で、位置調整部材としての外枠スペーサ６１の大きさを変更することで、第１の筐体１３Ａと第２の筐体１３Ｂの共有化を実現できる。
また、このように、外枠スペーサ６１の高さを変更して第１の筐体１３Ａと第２の筐体１３Ｂの図中矢印Ｚ方向の相対的な距離を変えることにより、同時にガラス面と読み取りユニット１２との位置を調整することができるので、読み取りユニット１２の高さに適した筐体１３の高さとすることができる。これにより、装置全体の重量バランスの適正化を図ることができるので、重量アンバランスに起因して生じる画質劣化を防止することができる。
【００４２】
また、第２の実施形態に係る画像読み取り装置においては、位置調整部材としての外枠スペーサ６１に、ガイドシャフト１２５を保持する軸受部１４と、ガイドレール１５を保持するレール受部１６が設けられている。ゆえに、採用する読み取りユニット１２に応じてそのガイドシャフト１２５の高さやガイドレール１５の高さが異なるとしても、その高さに応じた軸受部１４、レール受部１６を設けることができる。これにより、より簡易に両筐体１３Ａ，１３Ｂの共有化を実現することができる。
【００４３】
なお、図９、図１０に示すように、第２の実施形態に係る画像読み取り装置においても第１の筐体１３Ａと第２の筐体１３Ｂは、第１のボス１３２Ａに形成された孔１４０を通したネジ１７と第２のボス１３２Ｂに形成されたネジ溝１４１により締め付けられる。ゆえに、第１の実施形態に係る画像読み取り装置１と同様に、第１のボス１３２Ａと第２のボス１３２Ｂ間にスペーサを備えることは好適である。
【００４４】
図１１（ａ）は、第２の実施形態に係る位置調整部材としての外枠スペーサ６１の他の実施例を示す図であり、図１１（ｂ）は、この位置調整部材を用いた場合の画像読み取り装置のＢ−Ｂ断面（図９参照）を示す図である。なお、図１１（ｂ）において、原稿送り装置２０は省略している。図１１に示すように、外枠スペーサ６１は、両筐体１３Ａ，１３Ｂの外枠１３３Ａ，１３３Ｂに挟持される外枠挟持部分６１２と、第１のボス１３２Ａと第２のボス１３２Ｂ間に挟持される凸部挟持部分６１３と、を有し、外枠挟持部分６１２と凸部挟持部分６１３が一体で構成されている。そして、このように、両筐体の外枠１３３Ａ，１３３Ｂに挟持される外枠挟持部分６１２と凸部挟持部分６１３を一体で構成することにより、組み立て工数を最小限に抑えることができ、製造容易にすることができる。
【図面の簡単な説明】
【００４５】
【図１】第１の実施形態に係る画像読み取り装置の全体構成を示す図である。
【図２】第１の実施形態に係る画像読み取り装置の取り付け態様を示す図である。
【図３】図２のＡ−Ａ断面を示す図である。
【図４】読み取りユニットの種類と高さを示す図である。
【図５】高さが低いボススペーサを取り付けた場合のＡ−Ａ断面図である。
【図６】高さが高いボススペーサを取り付けた場合のＡ−Ａ断面図である。
【図７】第１の実施形態に係る画像読み取り装置の第２の筐体の他の実施例を示す図である。
【図８】第１の実施形態に係る画像読み取り装置のボススペーサの他の実施例を示す図である。
【図９】第２の実施形態に係る画像読み取り装置の取り付け態様を示した図である。
【図１０】図９のＢ−Ｂ断面を示す図である。
【図１１】第２の実施形態に係る画像読み取り装置の外枠スペーサの他の実施例を示す図である。
【符号の説明】
【００４６】
１…画像読み取り装置、１０…スキャナ装置、１１Ａ…プラテンガラス、１１Ｂ…窓ガラス、１２…読み取りユニット、１３Ａ…第１の筐体、１３Ｂ…第２の筐体、１４…軸受部、１５…ガイドレール、１６…レール受部、２０…原稿送り装置、５１…ボススペーサ、６１…外枠スペーサ
【図１】
0005040613.tif 000002
【図２】
0005040613.tif 000003
【図３】
0005040613.tif 000004
【図４】
0005040613.tif 000005
【図５】
0005040613.tif 000006
【図６】
0005040613.tif 000007
【図７】
0005040613.tif 000008
【図８】
0005040613.tif 000009
【図９】
0005040613.tif 000010
【図１０】
0005040613.tif 000011
【図１１】
0005040613.tif 000012